(57)【特許請求の範囲】
【請求項１】
固定先のスタッドボルトへの対応部分として機能するクランプ固定部と、クランプ対象部材への対応部分として機能するクランプ本体とを含むとともに、これらが一体に形成され、さらに、前記クランプ固定部は前記スタッドボルトの軸に直交する方向に沿って摺動する第一摺動構造を少なくとも有し、前記クランプ本体は前記クランプ対象部材の長手方向に沿って該クランプ対象部材を摺動する第二摺動構造を有し、
前記クランプ固定部は前記クランプ本体の前記長手方向に沿う側部の中間に一体化されるとともに、前記側部の両端側から突出するカバー部により保護される
ことを特徴とする摺動式クランプ。
【請求項２】
請求項１に記載の摺動式クランプにおいて、
前記カバー部は流線形となる形状に形成されるとともに、前記クランプ固定部の下部よりも低い位置の部分を有する形状に形成される
ことを特徴とする摺動式クランプ。
【請求項３】
クランプ対象部材に対し摺動自在に取り付けられる請求項１又は２に記載の摺動式クランプと、前記クランプ対象部材に対し固着状態に取り付けられる固着式クランプとを含む
ことを特徴とするクランプ対象部材取り付け構造。
【請求項４】
請求項３に記載のクランプ対象部材取り付け構造において、
前記クランプ対象部材はワイヤハーネスの外装部材となる管体であり、該管体はこの外面に前記摺動式クランプに対する摺動規制部を有する
ことを特徴とするクランプ対象部材取り付け構造。
【請求項５】
請求項４に記載のクランプ対象部材取り付け構造において、
前記摺動規制部はテープ巻きにより形成される
ことを特徴とするクランプ対象部材取り付け構造。
【発明の詳細な説明】
【技術分野】
【０００１】
本発明は、摺動式クランプ及びクランプ対象部材取り付け構造に関する。
【背景技術】
【０００２】
自動車等の移動体の所定位置に配索されるワイヤハーネスは、これに固定されるクランプと、上記所定位置に突設されるスタッドボルトとの間で位置ズレが生じてしまうと、クランプを組み付けをすることができず、この場合は配索が不能になってしまう。対策としては、例えば下記特許文献１に開示された構造を採用することが考えられる。すなわち、スタッドボルトとクランプとの位置ズレを吸収する構造を採用することが考えられる。
【先行技術文献】
【特許文献】
【０００３】
【特許文献１】特開平７−３１０７２１号公報
【発明の概要】
【発明が解決しようとする課題】
【０００４】
ところで、上記従来技術にあっては、ワイヤハーネスの軸方向に沿って平行な一方向のみの位置ズレを吸収する構造であることから、他方向の位置ズレを吸収することはできず、そのために配索不能が起こり得る虞があり、作業性に影響を来してしまうという問題点を有する。
【０００５】
また、上記従来技術にあっては、一方向のみの移動で上記一方向のみの位置ズレを吸収することから、この構造では例えば走行により伝わる振動等を効果的に分散することができず、そのため疲労蓄積が起こり得る虞があり、耐久性に影響を来してしまうという問題点を有する。
【０００６】
また、上記従来技術にあっては、位置ズレ吸収に係る構造部分を矩形となる外形形状に形成することから、ワイヤハーネスを例えば自動車の床下で使用する場合、走行時の跳ね上げ等に起因して雪や泥の付着が起こり易くなり、そのため何らかの不具合につながる虞があるという問題点を有する。
【０００７】
また、上記従来技術にあっては、位置ズレ吸収に係る構造部分を剥き出しにしたままで保護する部分がないことから、ワイヤハーネスを例えば自動車の床下で使用する場合、チッピングが起こり易くなり、そのため何らかの不具合につながる虞があるという問題点を有する。
【０００８】
本発明は、上記した事情に鑑みてなされたもので、位置ズレを吸収して作業性の向上を図ることが可能な、また、振動を分散して耐久性の向上を図ることが可能な、さらには、雪等の付着からの不具合発生を防止することが可能な、摺動式クランプ及びクランプ対象部材取り付け構造を提供することを課題とする。
【課題を解決するための手段】
【０００９】
上記課題を解決するためになされた請求項１に記載の本発明の摺動式クランプは、固定先のスタッドボルトへの対応部分として機能するクランプ固定部と、クランプ対象部材への対応部分として機能するクランプ本体とを含むとともに、これらが一体に形成され、さらに、前記クランプ固定部は前記スタッドボルトの軸に直交する方向に沿って摺動する第一摺動構造を少なくとも有し、前記クランプ本体は前記クランプ対象部材の長手方向に沿って該クランプ対象部材を摺動する第二摺動構造を有し、前記クランプ固定部は前記クランプ本体の前記長手方向に沿う側部の中間に一体化されるとともに、前記側部の両端側から突出するカバー部により保護されることを特徴とする。
【００１１】
請求項２に記載の本発明の摺動式クランプは、請求項１に記載の摺動式クランプに係り、前記カバー部は流線形となる形状に形成されるとともに、前記クランプ固定部の下部よりも低い位置の部分を有する形状に形成されることを特徴とする。
【００１２】
また、上記課題を解決するためになされた請求項３に記載の本発明のクランプ対象部材取り付け構造は、クランプ対象部材に対し摺動自在に取り付けられる請求項１又は２に記載の摺動式クランプと、前記クランプ対象部材に対し固着状態に取り付けられる固着式クランプとを含むことを特徴とする。
【００１３】
請求項４に記載の本発明のクランプ対象部材取り付け構造は、請求項３に記載のクランプ対象部材取り付け構造に係り、前記クランプ対象部材はワイヤハーネスの外装部材となる管体であり、該管体はこの外面に前記摺動式クランプに対する摺動規制部を有することを特徴とする。
【００１４】
請求項５に記載の本発明のクランプ対象部材取り付け構造は、請求項４に記載のクランプ対象部材取り付け構造に係り、前記摺動規制部はテープ巻きにより形成されることを特徴とする。
【発明の効果】
【００１５】
請求項１に記載された本発明によれば、一つのクランプに摺動構造を少なくとも二つ有することから、確実に位置ズレの吸収をすることができる。また、クランプ対象部材に対し摺動することから、クランプ自体を固着状態にさせず、例えば走行により伝わる振動等を効果的に分散することができる。すなわち、振動等をクランプの配設箇所に集中させることはない。従って、本発明によれば、作業性の向上を図ることができるという効果や、耐久性の向上を図ることができるという効果を奏する。
【００１６】
また、請求項１に記載された本発明によれば、カバー部によりクランプ固定部を保護することから、クランプ固定部での不具合発生を防止することができるという効果を奏する。
【００１７】
請求項２に記載された本発明によれば、流線形のカバー部により雪等の付着を起こり難くし、また、クランプ固定部の下部よりも低い位置の部分を有するカバー部により下側からのクランプ固定部のはみ出しをなくすことから、クランプ固定部での不具合の発生防止、及びクランプ固定部周辺部分での不具合の発生防止をすることができるという効果を奏する。
【００１８】
請求項３に記載された本発明によれば、少なくとも二つの摺動構造を有する摺動式クランプと、クランプ対象部材に対し固着状態に取り付けられる固着式クランプと、を含んでクランプ対象部材を取り付ける構造であり、摺動式クランプにて確実に位置ズレの吸収をすることから、作業性の向上を図ることができるという効果を奏する。また、摺動式クランプを含むことから、例えば走行により伝わる振動等を効果的に分散することができ、以て耐久性の向上を図ることができるという効果を奏する。
【００１９】
請求項４に記載された本発明によれば、クランプ対象部材をワイヤハーネスの外装部材となる管体とする一方、管体に摺動規制部を設けることから、摺動式クランプの摺動量をワイヤハーネスの配索に合わせて規制することができるという効果を奏する。
【００２０】
請求項５に記載された本発明によれば、簡単な構造で摺動式クランプの摺動量を規制することができるという効果を奏する。
【図面の簡単な説明】
【００２１】
【図１】本発明に係る図であり、（ａ）はワイヤハーネスの配索状態を示す図、（ｂ）は摺動式クランプを含む取り付け構造を示す図である。
【図２】ワイヤハーネスの高圧同軸複合導電路を示す図であり、（ａ）は斜視図、（ｂ）は断面図である。
【図３】摺動式クランプの正面図である。
【図４】摺動式クランプの背面側からの斜視図である。
【図５】摺動式クランプの正面側からの斜視図である。
【図６】摺動式クランプの平面図である。
【図７】摺動式クランプの構成を示す図であり、（ａ）はスタッドクランプの斜視図、（ｂ）はクランプ座の斜視図、（ｃ）はクランプベースの斜視図である。
【発明を実施するための形態】
【００２２】
摺動式クランプは、一つのクランプで少なくとも二つの摺動構造を有する。ワイヤハーネスを配索するにあたっては、管体となる外装部材に摺動式クランプを摺動自在に取り付けて確実に位置ズレを吸収する。
【実施例】
【００２３】
以下、図面を参照しながら実施例を説明する。図１は本発明の摺動式クランプ及びクランプ対象部材取り付け構造に係る図であり、（ａ）はワイヤハーネスの配索状態を示す図、（ｂ）は摺動式クランプを含む取り付け構造を示す図である。また、図２はワイヤハーネスの高圧同軸複合導電路を示す図、図３〜図７は摺動式クランプの正面図、平面図、斜視図である。
【００２４】
本実施例においては、ハイブリッド自動車（電気自動車や一般的な自動車であってもよいものとする）に配索されるワイヤハーネスに対し本発明を採用するものとする。
【００２５】
図１において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００２６】
モータユニット３とインバータユニット４は、高圧のワイヤハーネス８により接続される。また、バッテリー５とインバータユニット４も高圧のワイヤハーネス９により接続される。ワイヤハーネス９は、この中間部１０が車体床下１１の地面側に配索される。また、車体床下１１に沿って略平行に配索される。車体床下１１は、公知のボディであるとともに所謂パネル部材であって、所定位置には貫通孔（符号省略）が形成される。この貫通孔には、ワイヤハーネス９が挿通される。
【００２７】
ワイヤハーネス９とバッテリー５は、このバッテリー５に設けられるジャンクションブロック１２を介して接続される。ジャンクションブロック１２には、ワイヤハーネス９の後端１３が公知の方法で電気的に接続される。ワイヤハーネス９の前端１４側は、インバータユニット４に対し公知の方法で電気的に接続される。
【００２８】
モータユニット３は、モータ及びジェネレータを構成に含むものとする。また、インバータユニット４は、インバータ及びコンバータを構成に含むものとする。モータユニット３は、シールドケースを含むモータアッセンブリとして形成されるものとする。また、インバータユニット４もシールドケースを含むインバータアッセンブリとして形成されるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。バッテリー５は、ハイブリッド自動車１や電気自動車に使用可能であれば特に限定されないものとする。
【００２９】
先ず、ワイヤハーネス９の構成及び構造について説明をする。ワイヤハーネス９は、上記の如くインバータユニット４とバッテリー５とを電気的に接続するための高圧の部材であって、高圧同軸複合導電路１５（図２参照）と、外装部材１６（クランプ対象部材、管体）と、電磁シールド部材１７とを含んで構成される。このような構成のワイヤハーネス９は、本発明に係る複数の摺動式クランプ１８や、固着式クランプ１９を介して車体床下１１等に取り付け固定される。
【００３０】
尚、本実施例において、電磁シールド部材１７は、外装部材１６がシールド機能を有する場合に、外装部材１６の両端末に接続されるものとして形成され、外装部材１６がシールド機能を有さない場合には、インバータユニット４からバッテリー５にかけて長くのびるように形成されるものとする。また、外装部材１６がシールド機能を有さない場合には、高圧同軸複合導電路１５と外装部材１６との間に電磁シールド部材１７が介在するものとする。電磁シールド部材１７としては、公知の編組や金属箔を含むシールド部材が採用されるものとする。電磁シールド部材１７は、例えば図示しないシールドシェルを介して、又は図示しないコネクタを介して、モータユニット３及びインバータユニット４のシールドケース等に接続されるものとする。
【００３１】
図２において、高圧同軸複合導電路１５は、この一本でプラス回路及びマイナス回路を有するように構成される。すなわち、二系統の回路を有するように構成される。具体的には、高圧同軸複合導電路１５の中心に位置する断面円形状の第一導電路２０と、この第一導電路２０の外周を所定厚さで被覆する第一絶縁体２１と、第一絶縁体２１の外側に設けられる第二導電路２２と、この第二導電路２２の外周を所定厚さで被覆する第二絶縁体２３とを含んで構成される。
【００３２】
尚、上記二系統の回路に限らないものとする。同軸で一本構成であれば三系統の回路（三つの回路）、四系統の回路（四つの回路）、…ｎ系統の回路（ｎ個の回路）であってもよいものとする。この他、導体及び絶縁体からなる公知の高圧電線（高圧導電路）を用いてもよいものとする。また、バスバー又は編組バスバーに絶縁体を設けてこれを高圧導電路としたものや、公知のキャブタイヤケーブルを用いてもよいものとする。
【００３３】
外装部材１６は、金属製の管体、すなわち金属管体であって、高圧同軸複合導電路１５を収容するのに必要な長さを有するように形成される。尚、金属製の管体に限らず樹脂製やエラストマー製の管体であってもよいものとする。樹脂製の管体としてはコルゲートチューブが好適である。外装部材１６は、本実施例において断面円形状に形成される（断面形状は一例であるものとする。後述する摺動式クランプ１８の摺動が可能であれば楕円形状や長円形状、矩形状であってもよいものとする）。このような外装部材１６は、配索経路に合わせて曲げ加工が施される。引用符号２４は曲げ部を示す。
【００３４】
本実施例において、断面円形状のアルミニウムパイプ（一例であるものとする）が外装部材１６として用いられる。このような外装部材１６は、高圧同軸複合導電路１５を収容する程度の内径寸法にて形成される。外装部材１６は、保護機能を発揮させることのできる厚みに形成される。
【００３５】
図１、図３及び図４において、摺動式クランプ１８は、ワイヤハーネス９を配索するための部材であって、外装部材１６の所定位置に摺動自在に取り付けられる。摺動式クランプ１８は、一つのクランプで二つの摺動構造（後述する）を有し、スタッドボルト２５に対する取り付け可能範囲を従来よりも広げるように形成される。また、摺動式クランプ１８は、上記二つの摺動構造によりスタッドボルト２５との位置ズレを吸収してワイヤハーネス８の配索を確実にすることができるように形成される。
【００３６】
摺動式クランプ１８は、固定先となるスタッドボルト２５への対応部分として機能するクランプ固定部２６と、外装部材１６への対応部分として機能するクランプ本体２７とを含むとともに、これらが一体になるように形成される。
【００３７】
クランプ固定部２６は、スタッドボルト２５の軸に直交する第一方向Ｐ（特許請求の範囲に記載された方向に相当）に沿って摺動する第一摺動構造２８を有する。また、クランプ本体２７は、外装部材１６の長手方向Ｒに沿ってこの外装部材１６を摺動する第二摺動構造３０を有する。尚、スタッドボルト２５の軸及び第一方向Ｐに直交する第二方向Ｑに沿って摺動する構造を付加してもよいものとする。
【００３８】
摺動式クランプ１８は、樹脂製品であって、複数の部品から構成される。具体的には、樹脂製のクランプベース３１と、樹脂製のクランプ座３２と、樹脂製のスタッドクランプ３３とを含んで構成される。クランプベース３１は、クランプ固定部２６を構成する固定部ベース３４と、この固定部ベース３４の両側に配設される一対のカバー部３５と、クランプ本体２７とを一体に有する。このような構成の摺動式クランプ１８は、例えばスタッドクランプ３３をクランプ座３２に組み付け、この後にこれらをクランプベース３１の固定部ベース３４に組み付ける作業工程を経て完成する。
【００３９】
本実施例の摺動式クランプ１８は、上記の如く樹脂製であるが、この限りでないものとする。尚、樹脂製とすることで、外装部材１６や取り付け部分に応じて、或いは、ワイヤハーネス９の形態に応じて着色することができるという利点を有する。
【００４０】
クランプ固定部２６における摺動構造に関し、第一摺動構造２８は、固定部ベース３４に対しクランプ座３２が第一方向Ｐに沿って摺動（移動）する構造に形成される。
【００４１】
図５において、クランプ本体２７は、本体下部３６と、ヒンジ３７と、本体上部３８と、一対のロック部３９とを有して略円筒形状に形成される。クランプ本体２７は、図１、図３及び図４に示す如く外装部材１６の長手方向Ｒに沿ってこの外装部材１６を摺動する第二摺動構造３０を有することから、この第二摺動構造３０を有するためとして、クランプ本体２７は外装部材１６の外径よりも若干大きな径に形成される。クランプ本体２７は、樹脂製であることから、外装部材１６を滑らかに摺動する。
【００４２】
固定部ベース３４は、クランプ本体２７の側部中間に一体化するように形成される。また、固定部ベース３４は、クランプ座３２の収容が可能な矩形（長方形）の枠形状に形成される。固定部ベース３４における引用符号４０（図７参照）は収容空間を示し、この収容空間４０にクランプ座３２が摺動自在に収容される。固定部ベース３４は、クランプ本体２７の側部両端側から突出する一対のカバー部３５により保護される。
【００４３】
一対のカバー部３５は、流線形となる形状に形成されるとともに、図６に示す如くクランプ固定部２６の下部４１よりも低い位置の部分（最下部４２）を有する形状に形成される。一対のカバー部３５は、丸みのある流線形となる形状により雪等の付着を起こり難くするとともに外からの力を流し易くすることができる。また、一対のカバー部３５は、最下部４２を有してクランプ固定部２６との段差４３を生じさせることから、クランプ固定部２６のはみ出しをなくすことができ、以てチッピングを防止することができる。一対のカバー部３５は、不具合防止に有効な部分として形成される。
【００４４】
図５及び図７において、クランプ座３２は、矩形（長方形）の箱形状に形成される。この矩形箱形状の収容空間４４には、スタッドクランプ３３が収容される。
【００４５】
スタッドクランプ３３は、スタッドボルト２５（図１参照）に固定される部分であって、矩形状のクランプ本体４５を有する。このクランプ本体４５には、スタッドボルト２５の挿入部分となるボルト挿入孔４６が形成される。ボルト挿入孔４６の奥位置には、可撓性のボルト係止部４７が複数配置形成される。
【００４６】
上記構成及び構造の摺動式クランプ１８は、第一摺動構造２８と第二摺動構造３０とを有することから、これら構造での摺動（移動）により、スタッドボルト２５の位置ズレを確実に吸収することができる。また、摺動式クランプ１８は、外装部材１６に対し摺動する構造を有することから、クランプ自体を固着状態にせず、例えば走行により伝わる振動等を効果的に分散させることができる。すなわち、振動等を摺動式クランプ１８の配設箇所に集中させることのないクランプである。
【００４７】
従って、摺動式クランプ１８によれば、作業性の向上を図ることができるという効果や、耐久性の向上を図ることができるという効果を奏する。
【００４８】
図１に戻り、固着式クランプ１９は、外装部材１６に対し固着状態に取り付けられるものであって、ここでは公知のクランプが用いられている。
【００４９】
位置ズレを吸収しつつ複数の摺動式クランプ１８をスタッドボルト２５に取り付け固定し、この後に複数の摺動式クランプ１８で摺動が生じるように外装部材１６を移動させて固着式クランプ１９を所定位置に取り付け固定すると、ワイヤハーネス９の配索が完了する。
【００５０】
尚、外装部材１６の外面に摺動規制部４８（図３及び図４参照）を設けることにより、摺動式クランプ１８の摺動量をワイヤハーネス８の配索に合わせて規制することができる。摺動規制部４８は、例えばテープ巻きにより形成すると、簡単な構造で安価にすることができる。摺動規制部４８は、摺動量を規制できれば上記テープ巻きに限らないものとする。
【００５１】
本発明は本発明の主旨を変えない範囲で種々変更実施可能なことは勿論である。
【符号の説明】
【００５２】
Ｐ…第一方向、  Ｑ…第二方向、  Ｒ…長手方向、  １…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車体床下、  １２…ジャンクションブロック、  １３…後端、  １４…前端、  １５…高圧同軸複合導電路、  １６…外装部材（クランプ対象部材、管体）、  １７…電磁シールド部材、  １８…摺動式クランプ、  １９…固着式クランプ、  ２０…第一導電路、  ２１…第一絶縁体、  ２２…第二導電路、  ２３…第二絶縁体、  ２４…曲げ部、  ２５…スタッドボルト、  ２６…クランプ固定部、  ２７…クランプ本体、  ２８…第一摺動構造、  ３０…第二摺動構造、  ３１…クランプベース、  ３２…クランプ座、  ３３…スタッドクランプ、  ３４…固定部ベース、  ３５…カバー部、  ３６…本体下部、  ３７…ヒンジ、  ３８…本体上部、  ３９…ロック部、  ４０…収容空間、  ４１…下部、  ４２…最下部（低い位置の部分）、  ４３…段差、  ４４…収容空間、  ４５…クランプ本体、  ４６…ボルト挿入孔、  ４７…ボルト係止部、  ４８…摺動規制部
【図１】
0005957781.tif 000002
【図２】
0005957781.tif 000003
【図３】
0005957781.tif 000004
【図４】
0005957781.tif 000005
【図５】
0005957781.tif 000006
【図６】
0005957781.tif 000007
【図７】
0005957781.tif 000008